(57)【要約】【課題】  認証タグと遊技者タグとを識別して認証エラーを回避する監視システム及び遊技機を提供する【解決手段】  認証アンテナは、通信ユニットの認証アンテナの近傍に認証タグが近づけられると、認証アンテナと認証タグとの間のＲＦ送受信が可能となるように構成されている。認証アンテナからは呼出波を短い周期で繰り返し送信している（Ｓ１０１）。認証アンテナの近傍に近づけられた認証タグは、認証アンテナからの呼出波を受信し、反射波を送信する（Ｓ１０２）。また、遊技者カードが通信ユニットに近づけられても認証アンテナに反射波を送信するが（Ｓ１０２）、両者の属性情報が異なるので（Ｓ１０３）、認証エラー処理は（Ｓ１０７，Ｓ１０８）実行されない。【選択図】  図１５
2006255132.tif 000002
【特許請求の範囲】
【請求項１】
遊技機に設けられ、識別情報を記憶したＩＣタグからなる監視タグと、
当該監視タグの近傍に設けられ、当該監視タグと非接触通信を行なう監視アンテナと、
当該監視アンテナに接続し、前記監視タグ及び前記監視アンテナ間の通信状態により遊技機を監視する監視装置と、
識別情報を記憶したＩＣタグからなる認証タグと、
前記監視装置に接続し、当該認証タグと通信を行なう認証アンテナと、
識別情報を記憶し、遊技者の遊技情報を格納可能なＩＣタグからなる遊技者タグと、
前記監視装置に接続し、当該遊技者タグと通信を行なう遊技者アンテナとを備え、
前記監視装置は、
前記監視タグの識別情報を記憶した監視識別情報記憶手段と、
前記認証タグの識別情報を記憶した認証識別情報記憶手段と、
前記監視タグを前記監視アンテナを介して呼び出す呼出波、前記認証タグを前記認証アンテナを介して呼び出す呼出波、又は前記遊技者タグを前記遊技者アンテナを介して呼び出す呼出波の少なくともいずれかを送信する呼出波送信手段と、
前記監視タグ、前記認証タグ、前記遊技者タグから返送される反射波を受信する反射波受信手段と、
前記呼出波送信手段が前記監視タグへ前記呼出波を送信した後、所定時間内に前記反射波受信手段が前記反射波を受信し、かつ、前記反射波に含まれる識別情報が前記監視識別情報記憶手段に記憶されているいずれかの識別情報と一致する場合に、正常と判断する監視判断手段と、
前記反射波に含まれる識別情報が前記認証識別情報記憶手段に記憶されているいずれかの識別情報と一致するか否かを判断し、一致した場合には前記反射波を返送してきた前記認証タグを正当であると認証する認証手段と、
前記認証手段により前記認証タグが認証された場合に、前記監視装置を認証状態とする認証制御手段と、
前記認証制御手段により認証状態とされた場合に、前記監視装置を制御する監視制御手段と、
前記認証手段により、前記反射波を返送してきた前記認証タグが認証されなかった場合には、認証エラー処理を実行する認証エラー処理手段とを備えたことを特徴とする監視システム。
【請求項２】
前記認証タグは、認証属性の属性情報を記憶し、
前記遊技者タグは、遊技者属性の属性情報を記憶し、
前記監視装置は、
前記反射波に含まれる属性情報が認証属性又は遊技者属性のいずれに該当するかを判断する属性判断手段を備え、
前記認証手段は、当該属性判断手段により認証属性に該当すると判断された場合にのみ、識別情報が一致するか否かの判断を実行することを特徴とする請求項１に記載の監視システム。
【請求項３】
前記監視装置は、
前記遊技者タグへ遊技情報を書き込む遊技情報書込手段を備え、
当該遊技情報書込手段は、前記属性判断手段により遊技者属性と判断された場合に遊技者タグへの遊技情報の書込を行なうことを特徴とする請求項２に記載の監視システム。
【請求項４】
前記監視装置は、
前記監視判断手段による監視結果や前記認証手段による認証結果を外部に報知する報知手段を備え、
前記認証エラー処理手段は、前記認証手段により認証されなかった場合に、当該報知手段に認証エラーを報知させることを特徴とする請求項１乃至３のいずれかに記載の監視システム。
【請求項５】
前記監視装置は、
前記認証手段の認証結果を記憶する認証記憶手段を備え、
前記認証エラー処理手段は、前記認証手段により認証されなかった場合に、当該認証記憶手段に認証エラーを記憶させることを特徴とする請求項１乃至４のいずれかに記載の監視システム。
【請求項６】
前記監視制御手段は、前記監視装置が前記認証状態の場合には、前記監視判断手段による監視処理を実行しないように制御することを特徴とする請求項１乃至５のいずれかに記載の監視システム。
【請求項７】
請求項１乃至６のいずれかに記載の監視システムにより監視される遊技機。
【発明の詳細な説明】
【技術分野】
【０００１】
本発明は、監視システム及びその監視システムにより監視される遊技機に関するものである。
【背景技術】
【０００２】
従来、遊技機においては、遊技者が不当に遊技媒体を獲得する不正行為が後を絶たず、種々の防止策が施されている。例えば、遊技機の制御を司る制御基板に設置されたＲＯＭを、大量に遊技球を獲得できるように仕組まれた不正ＲＯＭに交換する不正行為を防止するために、制御基板を収納する基板ケースには、様々な工夫が施されている。
【０００３】
そこで、本出願人は、このような防止策の１つとして、ＩＣタグを用いて遊技機に対する不正行為を監視するシステムを提案している（例えば、特許文献１）。この監視システムにおいては、遊技機の所定の位置にＩＣタグが貼り付けられ、ＩＣタグ監視装置によりこれらのＩＣタグを呼び出す呼出波が送信され、予め登録されている識別データのＩＣタグから呼出波に対する反射波が返送された場合には、監視されている部材が正常であるとされ、反射波が返送されなかったり、予め登録されていない識別データのＩＣタグからの反射波を受信したりした場合には、監視場所に異常があるとして、異常を示す監視情報がＩＣタグ監視装置に記憶される。そして、ＩＣタグ監視装置に記憶されている監視情報が、通信ネットワークを介して遊技場内に設けられた管理機に送信されて、遊技機に異常が発生した際にはこの管理機によって異常が報知される。これにより、遊技機を効率的に監視することができ、例えば、制御基板収納ケースに対する不正行為等を確実に防止することができる。
【０００４】
また、本出願人は、遊技機の開閉を行うための鍵に認証用ＩＣタグ（認証タグ）を備え、監視タグと通信するリーダライタユニット（監視装置）が認証状態である場合には、監視用ＩＣタグ（監視タグ）による監視結果を管理端末装置（管理端末）で報知しないようにすることも提案している（例えば、特許文献２）。このように構成することで、作業員によるメンテナンスのための正当な開閉によって異常が報知されてしまうことを回避できる。
【０００５】
一方、遊技機に関する遊技情報の提供システムとして、遊技機毎に設けられるカード情報リードライト手段に会員カードが挿入されている間における遊技機の稼働データに基づいて、還元ポイント数が求められ、会員カードに書込まれるようなものが知られている（例えば、特許文献３）。また、本出願人は、不正行為を監視しながら遊技情報の提供も効率良く可能な遊技機管理システムを提案している（例えば、特許文献４）。この特許文献４の中では、上記の如きＩＣタグとアンテナとを利用した遊技機の自動監視システムにおいて、店員が有するカードに内蔵された認証タグと無線通信可能な認証アンテナをパチンコ機の前面に設置し、認証タグと認証アンテナとの無線通信において所定の条件が充足された場合に、監視制御装置による監視態様を非報知態様に切り替える技術についても提案している。
【特許文献１】特開２００４−６５８０１号公報
【特許文献２】特開２００４−１９９１２４号公報
【特許文献３】特開２００１−９６０３７号公報
【特許文献４】特開２００５−３４４９５号公報
【発明の開示】
【発明が解決しようとする課題】
【０００６】
ところで、上記特許文献４のように、店員が有するカードに内蔵された認証タグと無線通信可能な認証アンテナと、遊技者に提供する遊技情報を書き込むための遊技者カードに内蔵したＩＣタグと無線通信可能な遊技者アンテナとの双方を、利用者の操作性をよくするためにパチンコ機の前面に設置した場合、遊技者が遊技情報を書き込もうとして遊技者カードをかざしたときに、認証アンテナからの呼出に対して遊技者カードのＩＣタグが返答してしまい、認証タグとして登録されているＩＤが返されないために、認証エラーとなる可能性があった。
【０００７】
本発明は上記問題を解決するためになされたものであり、認証タグと遊技者タグとを識別して認証エラーを回避する監視システム及び遊技機を提供することを目的とする。
【課題を解決するための手段】
【０００８】
上記目的を達成するために、本発明の請求項１に記載の監視システムは、遊技機に設けられ、識別情報を記憶したＩＣタグからなる監視タグと、当該監視タグの近傍に設けられ、当該監視タグと非接触通信を行なう監視アンテナと、当該監視アンテナに接続し、前記監視タグ及び前記監視アンテナ間の通信状態により遊技機を監視する監視装置と、識別情報を記憶したＩＣタグからなる認証タグと、前記監視装置に接続し、当該認証タグと通信を行なう認証アンテナと、識別情報を記憶し、遊技者の遊技情報を格納可能なＩＣタグからなる遊技者タグと、前記監視装置に接続し、当該遊技者タグと通信を行なう遊技者アンテナとを備え、前記監視装置は、前記監視タグの識別情報を記憶した監視識別情報記憶手段と、前記認証タグの識別情報を記憶した認証識別情報記憶手段と、前記監視タグを前記監視アンテナを介して呼び出す呼出波、前記認証タグを前記認証アンテナを介して呼び出す呼出波、又は前記遊技者タグを前記遊技者アンテナを介して呼び出す呼出波の少なくともいずれかを送信する呼出波送信手段と、前記監視タグ、前記認証タグ、前記遊技者タグから返送される反射波を受信する反射波受信手段と、前記呼出波送信手段が前記監視タグへ前記呼出波を送信した後、所定時間内に前記反射波受信手段が前記反射波を受信し、かつ、前記反射波に含まれる識別情報が前記監視識別情報記憶手段に記憶されているいずれかの識別情報と一致する場合に、正常と判断する監視判断手段と、前記反射波に含まれる識別情報が前記認証識別情報記憶手段に記憶されているいずれかの識別情報と一致するか否かを判断し、一致した場合には前記反射波を返送してきた前記認証タグを正当であると認証する認証手段と、前記認証手段により前記認証タグが認証された場合に、前記監視装置を認証状態とする認証制御手段と、前記認証制御手段により認証状態とされた場合に、前記監視装置を制御する監視制御手段と、前記認証手段により、前記反射波を返送してきた前記認証タグが認証されなかった場合には、認証エラー処理を実行する認証エラー処理手段とを備えたことを特徴とする。
【０００９】
また、本発明の請求項２に記載の監視システムは、請求項１に記載の発明の構成に加え、前記認証タグが、認証属性の属性情報を記憶し、前記遊技者タグは、遊技者属性の属性情報を記憶し、前記監視装置は、前記反射波に含まれる属性情報が認証属性又は遊技者属性のいずれに該当するかを判断する属性判断手段を備え、前記認証手段は、当該属性判断手段により認証属性に該当すると判断された場合にのみ、識別情報が一致するか否かの判断を実行することを特徴とする。
【００１０】
また、本発明の請求項３に記載の監視システムは、請求項２に記載の発明の構成に加え、前記監視装置が、前記遊技者タグへ遊技情報を書き込む遊技情報書込手段を備え、当該遊技情報書込手段は、前記属性判断手段により遊技者属性と判断された場合に遊技者タグへの遊技情報の書込を行なうことを特徴とする。
【００１１】
また、本発明の請求項４に記載の監視システムは、請求項１乃至３のいずれかに記載の発明の構成に加え、前記監視装置が、前記監視判断手段による監視結果や前記認証手段による認証結果を外部に報知する報知手段を備え、前記認証エラー処理手段は、前記認証手段により認証されなかった場合に、当該報知手段に認証エラーを報知させることを特徴とする。
【００１２】
また、本発明の請求項５に記載の監視システムは、請求項１乃至４のいずれかに記載の発明の構成に加え、前記監視装置が、前記認証手段の認証結果を記憶する認証記憶手段を備え、前記認証エラー処理手段は、前記認証手段により認証されなかった場合に、当該認証記憶手段に認証エラーを記憶させることを特徴とする。
【００１３】
また、本発明の請求項６に記載の監視システムは、請求項１乃至５のいずれかに記載の発明の構成に加え、前記監視制御手段が、前記監視装置が前記認証状態の場合には、前記監視判断手段による監視処理を実行しないように制御することを特徴とする。
【００１４】
また、本発明の請求項７に記載の遊技機は、請求項１乃至６のいずれかに記載の発明の監視システムにより監視されることを特徴とする。
【発明の効果】
【００１５】
本発明の請求項１に記載の監視システムでは、監視装置の呼出派送信手段が、監視アンテナ、認証アンテナ、遊技者アンテナを介して呼出派を送信し、反射波受信手段が監視タグ、認証タグ、遊戯者タグから反射を受信する。そして、呼出派の送信から反射波の受信が所定時間内に行われた場合には、監視判断手段は正常と判断する。また、受信した反射波に含まれている識別情報が認証識別情報記憶手段に記憶されている識別情報と一致した場合には、認証手段が反射波を送信してきた認証タグを正当と認証する。認証手段により認証された場合には、認証制御手段により監視装置は認証状態とされ、認証状態用の監視制御が行われる。一方、認証手段により認証されなかった場合には、認証エラー処理手段により認証エラー処理が実行される。認証エラー処理としては、エラーを報知する、認証エラー情報を記憶する、管理装置に認証エラー情報を送信するなどの態様が考えられる。認証がなされなかった場合は、正当なＩＤを有するタグではない何らかのＩＣタグが認証アンテナ近傍に存在することを示しているから、監視装置による監視結果が出る前に認証エラーを報知しておけば、不正行為を予防することができる。
【００１６】
本発明の請求項２に記載の監視システムでは、請求項１に記載の発明の効果に加え、認証タグと遊技者タグのそれぞれに属性情報を記憶させ、属性情報判断手段が属性情報をチェックしてから認証ＩＤが正当なものかの判断をして認証を実行する。このようにすれば、誤って認証タグでないＩＣタグが認証アンテナに近づいてきた場合には、属性情報が異なるため、認証処理に入らず、認証エラー処理が行なわれないので、意図しない認証アンテナへの反射波の送信に対して、エラー報知などが実行されず、遊戯者を驚かせたり不愉快な思いをさせたりするおそれがない。
【００１７】
また、本発明の請求項３に記載の監視システムは、請求項２に記載の発明の効果に加え、属性情報判断手段が遊技者属性であると判断した場合には、その属性情報を返してきた遊技者タグに対して遊技情報の書込を行うことができる。
【００１８】
また、本発明の請求項４に記載の監視システムは、請求項１乃至３のいずれかに記載の発明の効果に加え、エラー処理手段として報知手段を備えたので、認証がなされなかった場合には、外部に認証エラーが報知される。なお、属性情報判断手段を備えている場合には、認証属性であると判断した後で認証を行なっているので、認証属性でない場合にはエラー報知はなされないことになる。
【００１９】
また、本発明の請求項５に記載の監視システムは、請求項１乃至４のいずれかに記載の発明の効果に加え、エラー処理として記憶手段を備えたので、認証がなされなかった場合には、エラー情報が記憶される。なお、属性情報判断手段を備えている場合には、認証属性であると判断した後で認証を行なっているので、認証属性でない場合にエラー情報の記憶もなされない。
【００２０】
また、本発明の請求項６に記載の監視システムは、請求項１乃至５のいずれかに記載の発明の効果に加え、認証状態にある場合には、正当権限を持った開閉であると判断して監視処理を実行しないように制御される。従って、真に必要な監視情報のみが記憶されるので、記憶容量を圧縮することができる。
【００２１】
また、本発明の請求項７に記載の遊技機は、請求項１乃至６のいずれかに記載の発明の監視システムにより監視されるので、効果的に認証や遊技情報の書込を実行しつつ遊技機の不正監視を行なうことができる。
【発明を実施するための最良の形態】
【００２２】
以下、本発明の一実施形態に係るパチンコ機用の監視システムについて、以下の順序にしたがい、図面に基づいて詳細に説明する。
（１）監視システムの概要
（２）パチンコ機の構造の説明
（３）監視場所の説明
（４）通信ユニットの説明
（５）ＩＣタグの説明
（６）パチンコ機・ＲＷの電気的構成の説明
（７）島端末の説明
（８）管理装置の説明
（９）監視システムの動作内容の説明
（１０）実施の形態の効果
（１１）変形例の説明
【００２３】
（１）監視システムの概要
まず、図１及び図２を参照して、監視システムＳの全体構成について説明する。図１は、本実施の形態の監視システムＳを示す構成図である。図２は、監視システムＳを導入したパチンコホール場内の外観を示す説明図である。
【００２４】
図１及び図２に示すように、パチンコホールの各設置台である遊技機設置島（以下、遊技島とよぶ）２００には、複数台のパチンコ機１が、背中合わせに２列に並べられて設置されている。また、遊技島２００には、各パチンコ機１の前面上部に、遊技者が遊技に関する個人情報を入手したり、店員がパチンコ機１をメンテナンスする際に認証を行ったりするための通信ユニット３０が設置されている。これらの通信ユニット３０の上側には、遊技者が個々のパチンコ機１の遊技内容に関する情報を入手するための情報表示器２０１が設置されている。さらに、各遊技島２００の内部には、各パチンコ機１を監視するための監視装置であるＲＷ（リーダライタ）２０が内蔵されている。各ＲＷ２０は、パチンコ機１の主基板４１（図１０参照）および通信ユニット３０と接続されている。そして、各ＲＷ２０は、店内ネットワーク１５０を介して遊技島２００の端部に設置された島端末１００に接続されている。さらに、島端末１００は、パチンコホール全体を管理するコンピュータである管理装置３００に店内ネットワーク１５０を介して接続されている。
【００２５】
かかる監視システムＳにおいては、各ＲＷ２０により、各パチンコ機１に設置された後述の監視タグ８６及び監視アンテナ６８（図３，図４，図５を参照）を利用して、両者の通信状態に基づいて開閉部材の開閉状態が監視される。そして、ＲＷ２０は、不正開放であると判断した場合には「異常情報」を店内ネットワーク１５０を介して島端末１００に送信し、島端末１００の警告ランプ１０８にて異常を報知する。さらに店内ネットワーク１５０を介して「異常情報」を管理装置３００に送信する。
【００２６】
また、パチンコホールの店員が、パチンコ機１のメンテナンスなどの不正行為でない開閉部材の開閉を行う場合には、ＩＣタグである後述の認証タグ９４（図１０参照）を通信ユニット３０の所定の部位に近づけ、通信ユニット３０に内蔵された後述の認証アンテナ９２（図１０参照）とＲＦＩＤ通信を行うことによって認証を行い、「認証モード」への切り替えを行う。これによって認証モード中に実行された開閉部材の開閉による不要な警報を回避することができる。
【００２７】
さらに、遊技者が、通信ユニット３０の挿入部にＩＣタグである後述の遊技者カード９３（図１０参照）を挿入すると、通信ユニット３０に内蔵された後述の遊技者アンテナ９１（図１０参照）とＲＦＩＤ通信状態となり、遊技者カード９３内に自身の「遊技情報」を入手することができる。なお、遊技者カード９３内の遊技情報は、店内ネットワーク１５０に接続された遊技者カード読取装置（図示外)にて表示することができる。
【００２８】
（２）パチンコ機の構造の説明
次に、図３及び図４を参照して、パチンコ機１について説明する。図３は、パチンコ機１の前面枠１１１及び本体枠１１０を開いた状態をパチンコ機１の前面から見た斜視図である。図４は、パチンコ機１の背面図である。
【００２９】
図３に示すように、パチンコ機１は、機枠１１２と、本体枠１１０と、前面枠１１１とから構成されている。機枠１１２は、パチンコ機１を遊技島２００に固定するためのものである。また、本体枠１１０は、前面側に遊技領域４を有する遊技盤２、遊技球を貯留するための上皿５や下皿６等を備えている。また、本体枠１１０の裏面側には機構部としての機構板、パチンコ機１の制御を司る種々の基板等が設置されている。そして前面枠１１１は、遊技盤を覆うためのガラス板を保持している。さらに、遊技領域４には、図柄表示装置や各種入賞口等が設けられている。
【００３０】
また、図４に示すように、パチンコ機１背面の下部には、パチンコ機１の主制御を司る主基板４１を収納した主基板ケース８１、遊技球の払い出しを制御する払出制御基板４５を収容した払出制御基板ケース８２等が配置されている。また、機構板は、遊技球を払い出すための払出装置６７を備えている。
【００３１】
（３）監視場所の説明
次に、図３〜図５を参照して、監視タグ８６が備えられている監視場所について説明する。図５は、主基板ケース８１の斜視図である。
【００３２】
図５に示すように、主基板ケース８１（監視場所１）は、カシメタグ８６ａ及びカシメアンテナ６８ａにより監視される。主基板ケース８１は上蓋部８１ａと下蓋部８１ｃとから構成され、その内部に主基板４１が配置されている。そして、上蓋部８１ａの裏面側にカシメタグ８６ａが設けられ（図４参照）、下蓋部８１ｃにカシメアンテナ６８ａが設けられている。
【００３３】
また、図３に示すように、本体枠１１０と機枠１１２（監視場所２）は、機枠タグ８６ｂ及び機枠アンテナ６８ｂにより監視される。機枠１１２の内面には機枠タグ８６ｂが設けられ、本体枠１１０の右側面には機枠アンテナ６８ｂが設けられている。同様に、前面枠１１１と本体枠１１０（監視場所３）は、前面枠タグ８６ｃ及び前面枠アンテナ６８ｃにより監視される。前面枠１１１の裏面（本体枠１１０と向き合う面）には前面枠タグ８６ｃが設けられ、本体枠１１０の表面（前面枠１１１と向き合う面）には前面枠アンテナ６８ｃが設けられている。以上のカシメタグ８６ａ，機枠タグ８６ｂ及び前面枠タグ８６ｃを総称して監視タグ８６と呼び、カシメアンテナ６８ａ，機枠アンテナ６８ｂ及び前面枠アンテナ６８ｃを総称して監視アンテナ６８と呼ぶ。
【００３４】
そして、上記の監視場所１〜３では、各部材が閉じられている状態（正常状態）において、監視タグ８６及び監視アンテナ６８が向き合ってＲＦＩＤ通信が実行される。すなわち、監視タグ８６はＲＷ２０から監視アンテナ６８を介して送信された呼出波を受信すると、各監視タグ８６に固有の「ＩＤコード」を反射波に乗せて監視アンテナ６８に向けて送信する。一方、各部材が開けられた状態（開放状態）では、監視タグ８６と監視アンテナ６８とが通信不能となり、ＲＷ２０から開放状態に係る「異常情報」が出力される。
【００３５】
（４）通信ユニットの説明
次に、図６を参照して、通信ユニット３０について説明する。図６は、遊技島２００の表側に設置された通信ユニット３０の外観図である。通信ユニット３０は、合成樹脂によって扁平な直方体状に形成された収納ケース３４の内部に、遊技者アンテナ９１及び認証アンテナ９２を設置したものである。より詳細には、通信ユニット３０は、遊技島２００の外面であって、パチンコ機１の近傍に設置されている。図２では、遊技島２００の外面における、パチンコ機１の正面上部に設けられた情報表示器２０１の下側に設けられている。
【００３６】
また、通信ユニット３０の収納ケース３４のフロントパネルには、報知ランプ３２ｂ，３２ｃが並設されており、内蔵された遊技者アンテナ９１及び認証アンテナ９２の位置を示唆した状態になっている。そして、収納ケース３４の略中央には、遊技者カード９３（図１０参照）を挿入可能なカード挿入用スリット３５が設けられている。また、遊技者アンテナ９１はアンテナケーブル３１ｂを介してＲＷ２０のＲＦ回路２８（図１０参照）に接続され、認証アンテナ９２はアンテナケーブル３１ｃを介してＲＷ２０のＲＦ回路２８（図１０参照）に接続されている。
【００３７】
（５）ＩＣタグの説明
次に、図７〜図９を参照してＩＣタグについて説明する。図７は、監視タグ８６の電気的回路構成を示すブロック図である。図８は、遊技者カード９３の電気的構成を示すブロック図である。図９は、認証タグ９４の電気的構成を示すブロック図である。本実施形態では、前述のように、監視場所に設置する監視タグ８６、カード型のＩＣタグである遊技者カード９３、タグ型の認証タグ９４の３種類のＩＣタグが用いられている。なお、遊技者カード９３は、通信ユニット３０内の遊技者アンテナ９１とのＲＦＩＤ通信により、遊技者カード９３に記憶されている情報を読み書き可能な記憶媒体である。また、認証タグ９４は、店員の持つ鍵のキーホルダーに取り付け可能な小型のタグであり、通信ユニット３０の報知ランプ３２ｃ近傍にかざして認証アンテナ９２とＲＦＩＤ通信を行なうことにより認証を行なうものである。
【００３８】
まず、図７を参照して、監視タグ８６の電気的構成について説明する。尚、監視タグ８６ａ，８６ｂ，８６ｃは同様の構造をしている。図７に示すように、監視タグ８６には、ＲＦ回路８６１及びＥＥＰＲＯＭ８６３を備えたＩＣチップ８６４と、アンテナ８６２とが搭載されている。尚、アンテナ８６２は、ＲＷ２０の監視アンテナ６８から送信される呼出波を受信し、反射波を送信する。また、ＥＥＰＲＯＭ８６３には、監視タグ８６を他の監視タグから識別するための識別情報であるＩＤコードが上書消去禁止区域に記憶されている。尚、ＲＷ２０から呼出波が送られてくると、アンテナ８６２がこれを受信するが、この呼出波には搬送波成分が含まれており、これを受信してＲＦ回路８６１で整流して直流電圧を得る。したがって、監視タグ８６は、電池や外部電源を使用せずに必要な時にいつでもデータを発信することができる。データの発信は、ＥＥＰＲＯＭ８６３からＩＤコードを読み出して反射波に乗せ、ＲＦ回路８６１からアンテナ８６２を介して監視アンテナ６８に向けて送信する。
【００３９】
尚、本実施形態において、監視タグ８６と監視アンテナ６８は、１３．５６ＭＨｚの短波帯で通信を行っている。この周波数での通信はノイズによる影響を比較的受けにくいので、パチンコ機１の設置環境に適している。
【００４０】
次に、図８を参照して、遊技者カード９３の電気的構成について説明する。図８に示すように、遊技者カード９３には、監視タグ８６と同様に、ＲＦ回路９１１及びＥＥＰＲＯＭ９１３を備えたＩＣチップ９１４と、アンテナ９１２とが搭載されている。尚、アンテナ９１２は認証アンテナ９２から送信される呼出波を受信し、反射波を送信する。また、ＥＥＰＲＯＭ９１３には、遊技者カードであることを示す「遊技者属性情報」、及び、遊技者カード９３を他のＩＣタグと識別するための識別情報である「遊技者カードＩＤ」が上書消去禁止区域に記憶されている。また、遊技者カード９３においても、監視タグ８６と同様に、搬送波成分が含まれている呼出波を受信してＲＦ回路９１１で整流して直流電圧を得る。したがって、遊技者カード９３も電池や外部電源を使用せずに必要な時にいつでもデータを発信することができる。尚、遊技者カード９３と認証アンテナ９２との通信も、監視タグ８６と監視アンテナ６８との通信と同様に、１３．５６ＭＨｚの短波帯で行われている。
【００４１】
次に、図９を参照して、認証タグ９４の電気的構成について説明する。図９に示すように、認証タグ９４には、監視タグ８６と同様に、ＲＦ回路９２１及びＥＥＰＲＯＭ９２３を備えたＩＣチップ９２４と、アンテナ９２２とが搭載されている。尚、アンテナ９２２は認証アンテナ９２から送信される呼出波を受信し、反射波を送信する。また、ＥＥＰＲＯＭ９２３には、認証タグであることを示す「認証属性情報」、及び、認証タグ９４を他のＩＣタグと識別するための識別情報である「認証タグＩＤ」が上書消去禁止区域に記憶されている。また、認証タグ９４においても、監視タグ８６と同様に、搬送波成分が含まれている呼出波を受信してＲＦ回路９２１で整流して直流電圧を得る。したがって、認証タグ９４も電池や外部電源を使用せずに必要な時にいつでもデータを発信することができる。尚、認証タグ９４と認証アンテナ９２との通信も、監視タグ８６と監視アンテナ６８との通信と同様に、１３．５６ＭＨｚの短波帯で行われている。
【００４２】
（６）パチンコ機・ＲＷの電気的構成の説明
次に、図１０を参照して、パチンコ機１及びパチンコ機１に接続したＲＷ２０の主な構成要素の電気的構成について説明する。図１０は、パチンコ機１及びパチンコ機１に接続したＲＷ２０の電気的構成を示すブロック図である。パチンコ機１には、主基板４１、電源基板４２、音基板４３、図柄表示基板４４、払出制御基板４５、電飾基板４６、中継基板４７、発射基板６６、サブ統合基板５８等が設けられている。主基板４１には、各種の演算処理を行うＣＰＵ５１が設けられており、フラグやカウンタ値やデータを記憶するＲＡＭ５２と、制御プログラム及び各種の初期値のデータや図柄表示装置（図示外）への表示内容のデータ等を記憶したＲＯＭ５３とが接続している。また、ＣＰＵ５１は、Ｉ／Ｏインタフェイス５４に接続しており、Ｉ／Ｏインタフェイス５４には、ＲＷ２０へデータを引き渡すための出力ポート５５、サブ統合基板５８、払出制御基板４５、中継基板４７が接続している。さらに、サブ統合基板５８には図柄表示基板４４、電飾基板４６、音基板４３が接続され、払出制御基板４５には発射基板６６が接続されている。電源基板４２は遊技機設置島に備えられた電源から電源供給を受けており、主基板４１、サブ統合基板５８、払出制御基板４５、発射基板６６に電源供給を行っている。また、パチンコ機１の各監視場所には、前述のように、監視タグ８６が貼り付けられており、各監視場所が閉じられた状態において、対応する監視アンテナ６８とＲＦＩＤ通信可能な位置に設置されている。
【００４３】
また、ＲＷ２０には、ＲＷ基板２１が備えられており、ＲＷ基板２１にはＲＷ２０の制御を司るＣＰＵ２２が設けられている。ＣＰＵ２２はフラグやデータ、識別情報や監視情報等を記憶するＲＡＭ２４、制御プログラム及び各種の初期値のデータ等を記憶したＲＯＭ２３が内蔵されている。そして、ＣＰＵ２２には、ＥＥＰＲＯＭ２５、監視タグ８６ａ，監視タグ８６ｂ，監視タグ８６ｃへ呼出波を送信し、反射波を受信するためのＲＦ回路２８、パチンコ機１の主基板４１の出力ポート５５と接続する入力ポート２９、時間管理を行うＲＴＣ７１、Ｉ／Ｏインタフェイス２７が接続している。Ｉ／Ｏインタフェイス２７には、管理装置３００に接続するための店内ネットワーク１５０に接続する通信回路２６が接続されている。さらに、ＲＦ回路２８には、監視タグ８６と通信する監視アンテナ６８が接続される他、遊技者カードと通信するための遊技者アンテナ９１、店員カードと通信するための認証アンテナ９２も接続されている。尚、この遊技者アンテナ９１及び認証アンテナ９２は、前述のように、通信ユニット３０に備えられ、遊技者カード９３及び認証タグ９４とそれぞれＲＦＩＤ通信を行なう。
【００４４】
次に、図１１を参照して、本発明の各種記憶手段に相当するＲＡＭ２４の記憶エリアについて説明する。図１１は、ＲＷ２０のＲＡＭ２４の概念図である。
【００４５】
図１１に示すように、ＲＡＭ２４には認証ＩＤ記憶エリア２４１、監視ＩＤ記憶エリア２４２、認証情報記憶エリア２４３、監視情報記憶エリア２４４、フラグ記憶エリア２４５及び認証中ＩＤコード記憶エリア２４６、遊技情報記憶エリア２４７が設けられている。認証ＩＤ記憶エリア２４１には使用できる認証タグ９４のＩＤコードが記憶されている。監視ＩＤ記憶エリア２４２には、監視場所毎にそこに備えられている監視タグ８６のＩＤコードが記憶されている。そして、認証情報記憶エリア２４３には、ＲＷ２０が認証状態となったり、認証状態が解除されたりした時刻や認証タグ９４のＩＤコード、認証エラーとなった場合の時刻やＩＤコード、が記憶されており、監視情報記憶エリア２４４には１日分の監視情報が記憶されている。また、フラグ記憶エリア２４５には、後述の各処理（図１４乃至図１７参照）で使用される種々のフラグが記憶され、認証中ＩＤコード記憶エリア２４６には、ＲＷ２０を認証状態としている認証タグ９４のＩＤコードが記憶される。遊技情報記憶エリア２４７には、パチンコ機１から送信された各種信号に基づく遊技情報が記憶される。尚、ＲＡＭ２４には図示外の記憶エリアが備えられている。
【００４６】
（７）島端末の説明
次に、図１２を参照して、島端末１００について説明する。図１２は、島端末１００の電気的構成を示すブロック図である。図１２に示すように、島端末１００は、ＣＰＵ１０１，ＲＡＭ１０２，ＲＯＭ１０３，ＥＥＰＲＯＭ１０４，Ｉ／Ｏインタフェイス１０５を備えている。また、店内ネットワーク１５０とデータの送受信を行なうための通信回路１４０と、店内ネットワーク１５０から受信した「異常情報」の台番等を表示するための表示器１０７と、「異常情報」に基づいて点灯される警告ランプ１０８と、表示器１０７の表示を消去及び警告ランプ１０８の消灯を行うためのクリアボタン１０９とを備えている。
【００４７】
島端末１００の主な機能は、遊技島２００に設けられた複数のＲＷ２０から出力される「監視情報」を店内ネットワーク１５０を介して受信し、その「監視情報」をとりまとめて管理装置３００に送信することである。
【００４８】
（８）管理装置の説明
次に、管理装置３００の構成について図１３を参照して説明する。管理装置３００は、周知の端末である一般的なパーソナルコンピュータであり、店内ネットワーク１５０に接続可能な通信装置３０９を備えている。そして、島端末１００から店内ネットワーク１５０を介して監視情報を受信して記憶し、必要に応じて報知する。図１３は管理装置３００の電気的構成を示すブロック図である。
【００４９】
図１３に示すように、管理装置３００には、管理装置３００の制御を司るＣＰＵ３１０が設けられ、ＣＰＵ３１０には、各種のデータを一時的に記憶するＲＡＭ３０１と、ＢＩＯＳ等を記憶したＲＯＭ３０２と、データの受け渡しの仲介を行うＩ／Ｏインタフェイス３０３とが接続されている。Ｉ／Ｏインタフェイス３０３には、ハードディスク装置３８０が接続され、当該ハードディスク装置３８０には、監視情報記憶エリア３８１と、認証ＩＤ情報記憶エリア３８２と、プログラム記憶エリア３８３と、その他の情報記憶エリア３８４とが設けられている。
【００５０】
尚、監視情報記憶エリア３８１には、ＲＷ２０から送信された監視情報が時系列に記憶されている。認証ＩＤ情報記憶エリア３８２には、認証タグ９４のＩＤコードに対応して、認証タグの種類、その認証タグ９４を所有する係員の氏名が記憶されている。プログラム記憶エリア３８３にはＣＰＵ３１０で実行されるプログラムが記憶されている。
【００５１】
また、Ｉ／Ｏインタフェイス３０３には、ビデオコントローラ３０４と、キーコントローラ３０５と、ＣＤ−ＲＯＭドライブ３０６と、通信装置３０９とが接続され、ビデオコントローラ３０４にはディスプレイ３１１が接続され、キーコントローラ３０５にはキーボード３１２が接続され、通信装置３０９は店内ネットワーク１５０に接続可能となっている。なお、ＣＤ−ＲＯＭドライブ３０６に挿入されるＣＤ−ＲＯＭ３０７には、管理装置３００の制御プログラムが記憶されており、導入時には、制御プログラムは、ＣＤ−ＲＯＭ３０７から、ハードディスク装置３８０にセットアップされてプログラム記憶エリア３８３に記憶されるようになっている。
【００５２】
管理装置３００の主な機能は「監視情報」の蓄積管理である。管理装置３００では、各島端末１００から店内ネットワーク１５０を介して送信された「監視情報」を受信すると、これらの「監視情報」がハードディスク装置３８０に蓄積される。そして、この「監視情報」はディスプレイ３１１にて閲覧したり、図示外のプリンタを接続して印刷したりすることができる。
【００５３】
（９）監視システムの動作内容の説明
ａ．遊技情報の管理動作
パチンコ機１は、主基板ケース８１に収納された主基板４１に記憶されたプログラムにしたがって、主たる遊技動作を実行する。そして、発射ハンドルの回転操作によって遊技領域４に打ち出された遊技球が図柄始動口に入賞すると、主基板４１において「抽選」を実行し、「大当たり」を生起させるか否かを決定する。また、「抽選」を実行すると略同時に、図柄表示装置の液晶画面に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示するとともに、「大当たり状態」を生起させて、大入賞装置の扉部材を所定回数だけ断続的に開放させる。なお、大入賞装置の扉部材は、「大当たり状態」生起時以外では開放しないようになっている。さらに、特定の「大当たり図柄」が表示された後には、「大当たり状態」の終了後、次の「大当たり状態」が生起するまで、「抽選」における「大当たり」の生起確率を増大させる「高確率状態」を生起させる。一方、扉部材の内部の大入賞口や各種の入賞装置に遊技球が入賞した場合には、遊技球払出装置の作動によって所定数の遊技球を賞品球として払い出す。
【００５４】
また、パチンコ機１は、電源投入後に図柄変動が実行される毎に、「図柄変動実行信号」をＲＷ２０に送信する。また、遊技球が遊技領域４の最下位置に設けられたアウト口を通過する毎に、「アウト球検出信号」をＲＷ２０に送信し、遊技球払出装置が賞品球を払い出す毎に、「賞品球払出信号」をＲＷ２０に送信する。さらに、「大当たり状態」が生起した場合には「大当たり生起信号」をＲＷ２０に送信し、「高確率状態」が生起した場合には「確変生起信号」をＲＷ２０に送信する。
【００５５】
また、ＲＷ２０は、パチンコ機１から「図柄変動実行信号」、「アウト球検出信号」、「賞品球払出信号」、「大当たり生起信号」、「確変生起信号」を受信すると、それらの信号の積算受信回数を信号の種類別に「遊技情報」として所定のタイミングでＲＡＭ２４の遊技情報記憶エリア２４７内に記憶する。また、新たな信号を受信する毎に、記憶している積算受信回数を更新する。そして、所定の時間間隔で、最新の「遊技情報」を遊技情報エリア２４７から取り出し、ＣＰＵ２２の機能によって、非入賞球の総数に関する「アウト情報」、払い出したすべての賞品球数に関する「賞球情報」、図柄の積算変動回数に「スタート情報」、「大当たり状態」の積算生起回数に関する「大当たり情報」、「高確率状態」の積算生起回数に関する「確変情報」等に換算して、情報表示器２０１の表示画面に表示する。また、通信ユニット３０のカード挿入用スリット３５に遊技者カード９３が挿入された場合には、後述の処理に従って、以上のような遊技情報が遊技者カード９３に書き込まれる。
【００５６】
加えて、ＲＷ２０は、所定時間毎に、遊技情報エリア２４７に記憶された「遊技情報」を管理装置３００に送信するようになっている。一方、ＲＷ２０から「遊技情報」を受信した管理装置３００は、ハードディスク装置３８０内に、それらの「遊技情報」をパチンコ機１の機台別に記憶する。かかる動作によって、ＲＷ２０のみならず、管理装置３００においても「遊技情報」の管理が可能となる。
【００５７】
ｂ．不正行為の監視及び遊技情報提供動作
次に、ＲＷ２０による監視場所の監視及び遊技情報の提供について、図１４乃至図１７を参照して説明する。ＲＷ２０に電源が供給されると、ＣＰＵ２２において監視及び遊技情報提供の基本処理が実行される。図１４は、ＲＷ基板２１のＣＰＵ２２で実施される基本処理のフローチャートである。図１５は、基本処理の中で行われる認証処理のフローチャートである。図１６は、基本処理の中で行われる遊技情報処理のフローチャートである。図１７は、基本処理の中で行われる監視処理のフローチャートである。
【００５８】
まず、図１４を参照して、基本処理について説明する。この処理は、ＲＷ２０に電源が供給されると実施され、まず、認証フラグ及び各エラーフラグ等に初期値の「０」がセットされる（Ｓ１）。そして、Ｓ２〜Ｓ４の処理が繰り返し実施され、認証処理（Ｓ２）、遊技情報処理（Ｓ３）、監視処理（Ｓ４）の順で処理が行われる。尚、ここで初期値がセットされるフラグは、ＲＡＭ２４のフラグ記憶エリア２４５に記憶されており、認証フラグは、ＲＷ２０が認証状態であるか否かを示すフラグである。「０」である場合には認証状態でないことを示しており、「１」である場合には認証モード中であることを示している。
【００５９】
また、エラーフラグは各監視場所毎に設けられており、「０」が記憶されている場合には監視タグ８６との通信が正常に行われており、「１」が記憶されている場合には監視タグ８６との通信が正常に行われていないことを示している。そして、監視場所１，２，３毎に応答エラーフラグ及びＩＤエラーフラグが設けられている。尚、応答エラーは監視アンテナ６８から送信された呼出波に対して、監視タグ８６が反射波を返信してこなかった場合を示し、ＩＤエラーは反射波に含まれているＩＤコードが予め登録されているものと異なっている場合を示している。
【００６０】
次に、図１５を参照して、図１４のＳ２で実行される認証処理について説明する。認証アンテナ９２は、通信ユニット３０の認証アンテナ９２の近傍に認証タグ９４が近づけられると、認証アンテナ９２と認証タグ９４との間のＲＦ送受信が可能となるように構成されている。ＲＷ２０では、監視動作を行いつつ、認証アンテナ９２から呼出波を短い周期で繰り返し送信している。そこで、認証アンテナ９２の近傍に近づけられ、ＲＦ送受信可能となった認証タグ９４は、認証アンテナ９２からの呼出波を受信することになり、反射波を送信する。一方、遊技者カード９３が通信ユニット３０のカード挿入用スリット３５に挿入されると、遊技者カード９３は遊技者アンテナ９１とのＲＦ送受信が可能となる。ただし、遊技者アンテナ９１と認証アンテナ９２は、同じ通信ユニット３０内の至近距離に設置されている都合上、遊技者が遊技者カード９３をカード挿入用スリット３５に挿入しようとして認証アンテナ９２の近傍に遊技者カード９３を近づけてしまい、遊技者カード９３が認証アンテナ９２からの呼出波を受信し、それに対応して反射波を返信することもあり得る。図１５に示す認証処理は、このような場合も想定した処理となっている。
【００６１】
まず、認証アンテナ９２から呼出波を送信すると（Ｓ１０１）、次に、反射波を受信したか否かを判断する（Ｓ１０２）。反射波を受信していなければ（Ｓ１０２：ＮＯ）、そのまま図１４の基本処理に戻る。反射波を受信した場合には（Ｓ１０２：ＹＥＳ）、次に、反射波に含まれている属性情報が、認証属性であるか否かを判断する（Ｓ１０３）。ここで、認証タグ９４が返信してくる反射波には、認証タグであることを示す「認証属性情報」と、その認証タグ９４に固有の「認証タグＩＤ」が含まれている。また、遊技者カード９３がが返信してくる反射波には、遊技者カードであることを示す「遊技者属性情報」と、その遊技者カード９３に固有の「遊技者カードＩＤ」が含まれている。
【００６２】
属性情報が認証属性でない場合には（Ｓ１０３：ＮＯ）、認証を行なう必要がないので、そのまま図１４に戻り、遊技情報処理や監視処理を実行する。属性情報が認証属性である場合には（Ｓ１０３：ＹＥＳ）、次に、含まれているＩＤコードが正当なものであるか否かを判断する認証処理を行なう（Ｓ１０４）。ＲＷ２０は、監視システムＳの始動時に、管理装置３００から認証タグ９４に関する情報を受信しており、管理装置３００と同様に、認証タグ９４のＥＥＰＲＯＭ９２３に記憶された「認証タグＩＤ」を、有効なすべての認証タグ９４の番号別に、ＲＡＭ２４の認証ＩＤ記憶エリア２４１内に記憶している。認証タグ９４から受信した反射波に含められた「認証タグＩＤ」が認証ＩＤ記憶エリア２４１内に記憶されたものであると判断した場合には（Ｓ１０４：ＹＥＳ）、「通常モード」から「認証モード」に切り替える（Ｓ１０５）。具体的には、モードフラグを設け、認証タグ９４から受信した反射波に含められた「認証タグＩＤ」が認証ＩＤ記憶エリア２４１内に記憶されたものであると判断した場合には、モードフラグに「１」をセットして「認証モード」とし、その日時および「認証タグＩＤ」をＲＡＭ２４の認証情報記憶エリア２４３に記憶するとともに、島端末１００へ送信する。後述の監視処理（図１７参照）で述べるように、この「認証モード」では、パチンコ機１の各タグとアンテナとが送受信不能になった場合でも異常と判断されず、異常情報の島端末１００への送信や島端末１００の警告ランプ１０８の点灯はなされない。
【００６３】
また、認証タグ９４の認証タグ９４認証アンテナ９２とが通信を行い、ＲＡＭ２４の認証ＩＤ記憶エリア２４１に記憶されている「認証タグＩＤ」が反射波に含まれており、「認証モード」に切り替わった場合には、それを外からわかるように報知するために、報知ランプ３２ｃを点灯させる（Ｓ１０６）。そして、図１４に戻る。よって、「認証モード」となっている場合には、報知ランプ３２ｃにより店員がそれを認識することができるので、店員は、報知ランプ３２ｃが点灯していれば「認証モード」であるということが判り、安心してメンテナンス作業等を行うことができる。また、逆に、報知ランプ３２ｃが点灯しておらず「通常モード」である際に、メンテナンス作業等を行ってしまい、不正行為を行ったわけでないにもかかわらず、島端末１００に異常情報が送られて警報が発生してしまうことがなくなる。
【００６４】
一方、認証タグ９４から受信した反射波に含められた「認証タグＩＤ」がＲＡＭ２４の認証ＩＤ記憶エリア２４１内に記憶されたものでない場合には（Ｓ１０４：ＮＯ）、認証モードには切替えず、ＲＡＭ２４の認証情報記憶エリア２４３に認証エラー情報を記憶し（Ｓ１０７）、島端末１００へ認証エラー情報を送信する（Ｓ１０８）。これを受けて、島端末１００では、表示器１０７へのエラー表示や警告ランプ１０８の点灯等の報知を行なう。以上により認証処理が終了するので、図１４の基本処理に戻る。
【００６５】
このように、認証ＩＤコードの正当チェックを実行する前に、属性情報のチェックを実行するので、遊技者カード９３が反射波を返してきたような場合には、認証エラー処理が行なわれず、遊技者を驚かせたり不愉快な思いをさせたりすることが回避できる。
【００６６】
次に、図１６を参照して、図１４のＳ３で実行される遊技情報処理について説明する。前述のように、遊技者カード９３が通信ユニット３０のカード挿入用スリット３５に挿入されると、遊技者カード９３は遊技者アンテナ９１とのＲＦ送受信が可能となるように構成されている。ＲＷ２０では、監視動作を行いつつ、遊技者アンテナ９１からも呼出波を短い周期で繰り返し送信している。
【００６７】
まず、遊技者アンテナ９１から呼出波を送信すると（Ｓ２０１）、次に、反射波を受信したか否かを判断する（Ｓ２０２）。反射波を受信していなければ（Ｓ２０２：ＮＯ）、そのまま図１４の基本処理に戻る。反射波を受信した場合には（Ｓ２０２：ＹＥＳ）、次に、反射波に含まれている属性情報が、遊技者属性であるか否かを判断する（Ｓ２０３）。ここで、遊技者カード９３がが返信してくる反射波には、遊技者カードであることを示す「遊技者属性情報」と、その遊技者カード９３に固有の「遊技者カードＩＤ」が含まれている。一方、認証タグ９４が遊技者アンテナ９１の近傍にかざされたために遊技者アンテナ９１からの呼出波に反射波を返信してくる可能性もあるが、前述のように、認証タグ９４が返信してくる反射波には、認証タグであることを示す「認証属性情報」と、その認証タグ９４に固有の「認証タグＩＤ」が含まれている。また、その他のＩＤタグが反射波を返してくるような場合も想定されるが、この場合には、ＲＷ２０で認識できるような属性情報は反射波に含まれていないと考えられる。
【００６８】
反射波に遊技者属性情報が含まれていなかった場合には（Ｓ２０３：ＮＯ）、そのまま図１４に戻り、監視処理を実行する。反射波に遊技者属性情報が含まれていた場合には（Ｓ２０３：ＹＥＳ）、まず、遊技情報の書込中であることが外からわかるように報知するために、報知ランプ３２ｂを点灯させる（Ｓ２０４）。このように報知することで、遊技者は、遊技情報の書込中は、遊技者カード９３をカード挿入用スリット３５から抜き差しすることがなくなり、データの破損を回避することができる。
【００６９】
そして、最新の「遊技情報」をＲＡＭ２４の遊技情報エリア２４７から取り出し、ＣＰＵ２２の機能によって、非入賞球の総数に関する「アウト情報」、払い出したすべての賞品球数に関する「賞球情報」、図柄の積算変動回数に「スタート情報」、「大当たり状態」の積算生起回数に関する「大当たり情報」、「高確率状態」の積算生起回数に関する「確変情報」等に換算して、遊技者カード９３への書き込みを実行する（Ｓ２０５）。そして、図１４に戻り、監視処理を実行する。
【００７０】
次に、図１７を参照して図１４のＳ４で実行される監視処理について機枠タグ８６ｂと機枠アンテナ６８ｂとのＲＦ送受信による監視を例にして、説明する。かかる不正監視プログラムにおいては、ＲＷ２０は、ＲＦ回路２８によって、本体枠１１０に取り付けられている機枠アンテナ６８ｂを介して、パチンコ機１の機枠１１２に固着されている機枠タグ８６ｂへの呼出波を送信する（Ｓ３０１）。機枠タグ８６ｂは、呼出波を受けると、直ちにＥＥＰＲＯＭ８６３内から「識別情報」を呼び出し、その「識別情報」を含めた反射波を返信（ＲＦ送信）する。
【００７１】
機枠タグ８６ｂが反射波を送信すると、ＲＷ２０は、機枠アンテナ６８ｂによって、その反射波を受信する（Ｓ３０２：ＹＥＳ）。そして、ＲＷ２０は、機枠タグ８６ｂからの反射波に含まれる「識別情報」が、ＲＷ２０のＲＡＭ２４の監視ＩＤ記憶エリア２４２に予め記憶されている「監視タグＩＤ」と一致するか否かをＣＰＵ２２により判断し（Ｓ３０３）、記憶されたものと同一であると確認した場合には（Ｓ３０３：ＹＥＳ）、機枠タグ８６ｂと機枠アンテナ６８ｂとのＲＦ送受信が正常に行われ、かつ、機枠タグ８６ｂは正規のものである「正常な状態」ということになるので、この監視場所についての処理は終了し、次の監視場所の処理又はその他の処理へ進む。
【００７２】
しかしながら、Ｓ３０２において、呼出波を送信してから所定時間（たとえば、５０ｍｓ）内に反射波を受信しなかった場合には（Ｓ３０２：ＮＯ）、ＲＷ２０は、機枠タグ８６ｂと機枠アンテナ６８ｂとのＲＦ送受信ができない「異常な状態」（エラー）であると判断される。また、Ｓ３０３において、ＲＷ２０は、機枠タグ８６ｂからの反射波に含まれる「識別情報」が、予めＲＡＭ２４の監視ＩＤ記憶エリア２４２に登録されているものと一致しなかった場合にも（Ｓ３０３：ＮＯ）、正規のタグでないＩＣタグが応答した「異常な状態」（エラー）であると判断される。
【００７３】
そこで、「異常な状態」となったことをＲＡＭ２４の監視情報記憶エリア２４４に記憶し、警報発生のために島端末１００へ情報を送信する。但し、「認証モード」中である場合には、異常情報を送信しないため、「通常モード」とは異なる処理が行われることとなる。そこで、「認証モード」であるか否かの判断が行われる（Ｓ３０４）。
【００７４】
そして、「通常モード」であり「認証モード」でない場合には（Ｓ３０４：ＮＯ）、登録されていない識別情報を含む反射波を受信した時刻、パチンコ機１の台番号、異常な状態となった監視場所を示すコード等を、「監視情報」として監視情報記憶エリア２４４に記憶する（Ｓ３０５）。次いで、島端末１００および管理装置３００に「監視情報」を送信する（Ｓ３０６）。そして、この監視場所についての処理は終了し、次の監視場所の処理又はその他の処理へ進む。
【００７５】
一方、「認証モード」である場合には（Ｓ３０４：ＹＥＳ）、登録されていない識別情報を含む反射波を受信した時刻、パチンコ機１の台番号、異常な状態となった監視場所を示すコード、「認証モード」とした「認証タグＩＤ」等を、「作業履歴情報」として監視情報記憶エリア２４４に記憶する（Ｓ３０７）。このような「作業履歴情報」は、島端末１００や管理装置３００には送信されない。そして、この監視場所についての処理は終了し、次の監視場所の処理又はその他の処理へ進む。尚、島端末１００でのエラー表示や警告ランプ１０８の点灯等は行なわないようにするが、島端末１００や管理装置３００への「作業履歴情報」の送信は実行するようにしてもよい。
【００７６】
なお、「通常モード」であるか「認証モード」であるかは、フラグやコードなどを用いて管理する。たとえば、「通常モード」では「０」、「認証モード」では「１」とするモードフラグを使用する。このモードフラグは、後に正規の認証タグ９４を認識すると「１」とされ、「認証モード」終了のタイミングとなると「０」とされる。
【００７７】
なお、フローチャートには記載しないが、フラグなどを用いて「異常な状態」であるか、正常な状態であるかを記録しておき、「監視情報」のＲＡＭ２４の監視情報記憶エリア２４４への記憶（Ｓ３０５）や島端末１００および管理装置３００への「監視情報」の送信（Ｓ３０６）、「作業履歴情報」のＲＡＭ２４の監視情報記憶エリア２４４への記憶（Ｓ３０７）は、「異常な状態」から引き続いて「異常な状態」を検出した場合には、行わないようにする。また、「異常な状態」から「正常な状態」へと復帰した場合には（Ｓ３０２：ＹＥＳ，Ｓ３０３：ＹＥＳ）、正常な状態へと復帰した時刻や、「異常な状態」であった時間を、「監視情報」としてＲＡＭ２４の監視情報記憶エリア２４４に記憶したり、島端末１００および管理装置３００へ送信したりしてもよい。
【００７８】
また、ＲＷ２０は、本体枠１１０の開閉状態の監視動作と同様に、前面枠タグ８６ｃと前面枠アンテナ６８ｃとの間におけるＲＦ送受信を利用して前面枠１１１の不正開放に対する監視動作を実行し、カシメタグ８６ａとカシメアンテナ６８ａとの間におけるＲＦ送受信を利用してパチンコ機１の主基板ケース８１の監視動作をも実行する。そして、ＲＦ送受信において「異常な状態」（エラー）を検知した場合には、上述した「監視情報」をＲＡＭ２４の認証ＩＤ記憶エリア２４１に記憶する。
【００７９】
このようにＲＷ２０は、パチンコ機１の各監視場所の監視動作を、短時間（約数十ｍｓ）の周期で２４時間繰り返し実行し、ＩＣタグと繰り返しＲＦ送受信（無線通信）を行っている。そして、機枠タグ８６ｂと機枠アンテナ６８ｂとは、間隔が約３ｍｍ以内となっている場合にのみＲＦ送受信ができるように設定されている。したがって、ほんの少しの時間、わずかな隙間だけ本体枠１１０や前面枠１１１、主基板ケース８１を開放したとしても、ＩＣタグとのＲＦ送受信は断たれるので「異常な状態」（エラー）となり、その不正行為を検知することができる。
【００８０】
なお、島端末１００は「監視情報」を受信すると、表示器１０７に所定のメッセージを表示するとともに、警報ランプ１０８を所定の態様で発光させる。かかる警報ランプ１０８の発光によって、パチンコホールの店員の注意が促されることになる。
【００８１】
なお、上記実施の形態において、図１７のＳ３０２及びＳ３０３で反射波の受信及び識別情報の判断処理を実行するＲＷ２０のＣＰＵ２２が本発明の監視判断手段として機能する。また、図１５のＳ１０４で認証ＩＤの正当判断処理を実行するＲＷ２０のＣＰＵ２２が本発明の認証手段として機能する。さらに、図１５のＳ１０５で認証モードに移行させるＲＷ２０のＣＰＵ２２が本発明の認証制御手段として機能する。また、図１５のＳ１０７で認証エラー情報を記憶し、Ｓ１０８で認証エラー情報を送信するＲＷ２０のＣＰＵ２２が本発明の認証エラー処理手段として機能する。また、図１５のＳ１０３及び図１６のＳ２０３で属性情報の判断処理を実行するＲＷ２０のＣＰＵ２２が本発明の属性判断手段として機能する。また、図１６のＳ２０５の遊技情報書込処理を実行するＲＷ２０のＣＰＵ２２が本発明の本発明の遊技情報書込手段として機能する。
【００８２】
（１０）実施の形態の効果
監視システムＳは、上記の如く、ＩＣタグとアンテナとが各パチンコ機１に搭載されているとともに、各パチンコ機に固有の監視装置であるＲＷ２０が設置されているため、パチンコ機１に対する不正行為の有無を効果的に監視することができる。また、監視システムＳによれば、パチンコ機１の作動を停止させることなく、ＲＷ２０の設置作業やメンテナンス作業を行うことができる。
【００８３】
さらに、監視システムＳは、各パチンコ機１が機枠１１２に本体枠１１０を開閉自在に設けたものであり、それらの本体枠１１０に機枠アンテナ６８ｂが設置されているとともに機枠１１２に機枠タグ８６ｂが設置されており、本体枠１１０が開放されると、機枠タグ８６ｂと機枠アンテナ６８ｂとが無線通信可能な距離を超えて離反するため、各パチンコ機１の本体枠１１０が開放された状態で行われる不正行為を集中的に効率良く監視することができる。
【００８４】
加えて、監視システムＳは、パチンコ機１の作動を制御する主基板４１がカバーである上蓋部８１ａおよび下蓋部８１ｃに覆われた状態で各パチンコ機１に設置されており、その上蓋部８１ａおよび下蓋部８１ｃが取り外された場合には、各パチンコ機１に搭載されたカシメタグ８６ａとカシメアンテナ６８ａとが無線可能な距離を超えて離反するため、各パチンコ機１の主基板４１に対して行われる不正行為を集中的に効率良く監視することができる。
【００８５】
さらに、監視システムＳは、認証アンテナ９２が通信ユニット３０に内蔵されており、認証タグ９４が所定の距離内に配置された場合にのみ、その認証タグ９４と無線通信を実行してＲＷ２０による監視状態を「通常モード」から「認証モード」へシフトさせるための認証を行なう。パチンコホールの店員は、認証アンテナ９２を利用して、パチンコ機１に設置されたＩＣタグとアンテナとによる監視状態を認証モードに切り替えて、パチンコ機１のメンテナンス作業を実行することができる。
【００８６】
また、監視システムＳでは、遊技者カード９３に遊技情報の書込が可能であり、遊技者カード９３を挿入可能な通信ユニット３０は遊技者に便宜のよいパチンコ機１の全面に設置されている。ここで、認証アンテナ９２と遊技情報書込のための遊技者アンテナ９１の両方が通信ユニット３０内に設置されていることから、遊技者が遊技者カード９３を認証アンテナ９２に近づけた結果、認証アンテナ９２からの呼出波に遊技者カード９３が反射波を返したり、逆に認証タグ９４を近づけた際に遊技者アンテナ９１からの呼出波に認証タグ９４が反射波を返したりすることが考えられるが、遊技者カード９３と認証タグ９４とは、それぞれの属性を識別するための属性情報を記憶しており、ＲＷ２０は、認証や遊技情報の書込を実行する前に属性情報を確認するので、遊技者が意図せず認証エラーを引き起こしたり、認証タグ９４に対してＲＷ２０が遊技情報の書込を行なおうと試行するような事態が回避できる。
【００８７】
（１１）変形例の説明
なお、本発明の監視システムの構成は、上記実施形態の態様に何ら限定されるものではなく、遊技機、ＲＷ、中継タグ、認証用アンテナ、ＩＣタグ、アンテナ、島端末、管理装置等の形状・構造等の構成を、本発明の趣旨を逸脱しない範囲で、必要に応じて適宜変更することができる。
【００８８】
たとえば、監視システムは、パチンコ機の機枠、ガラス枠、主基板ケースにＩＣタグとアンテナとを設けたものに限定されず、大入賞装置の扉部材等の部位にＩＣタグとアンテナとを設けたものでも良い。また、監視システムは、監視情報を島端末や管理装置に送信するものに限定されず、インターネット等の回線を通じてパチンコホールの外部に監視履歴情報を送信するもの等でも良い。
【００８９】
また、監視システムは、パチンコ機の主基板と監視装置と島端末と管理装置とを有線によって接続したものに限定されず、それらの装置を無線によって接続したものに変更することも可能である。さらに、監視システムは、監視装置を介してパチンコ機の主基板と島端末あるいは管理装置とを接続したものに限定されず、パチンコ機の主基板を直接に島端末あるいは管理装置と接続したものに変更することも可能である。加えて、監視システムは、必ずしも島端末を有するものに限定されず、パチンコ機の主基板、監視装置、および管理装置のみを接続したものでも良い。
【００９０】
一方、ＲＷは、パチンコホールの営業時間中に設置台から電源供給を受けるものに限定されず、常時、内蔵したバックアップ電源や外部のバックアップ電源から電源供給を受けるもの等でも良い。また、内蔵されたバッテリーがパチンコホールの営業時間中に蓄えた電力によってパチンコホールの営業時間外に作動するものに限定されず、常時（２４時間）設置台から電源供給されるものに変更することも可能である。さらに、ＲＷは、消失時刻や復帰時刻等の監視履歴情報をＲＡＭに記憶するものに限定されず、ハードディスクや光ディスク等の媒体に記憶するもの等でも良い。また、遊技情報も、ＲＡＭに記憶されるものに限定されず、ＥＥＰＲＯＭ等のＲＡＭとは異なる記憶手段に記憶するようにしてもよい。
【００９１】
加えて、遊技機の各部位に設けるＩＣタグは、上記実施形態の如く、小型で扁平な長方形状のものに限定されず、コイン型やスティック型等の別の形状を有するものでも良い。また、上記実施形態の如く、電磁誘導方式によってアンテナと信号の送受信を行うものに限定されず、電磁結合方式、マイクロ波方式、光方式等の別の方法によって、アンテナと信号の送受信を行うものに変更することができる。さらに、ＩＣタグやアンテナの取付方法は、所定の部材や装置に接着する方法に限定されず、所定の部材や装置に一体的にモールディングする方法等の別の方法を採用することができる。加えて、ＩＣタグやアンテナを、所定の場所から剥がすと機能しなくなるように構成することも可能である。さらに、ＩＣタグは、アンテナからの呼出波を受信すると、予め登録されている識別情報を含む反射波を返信する動作のみを実行するものに限定されず、アンテナからの呼出波にのせて送信されてきた特定のデータを記憶手段に記憶するものに変更することも可能である。
【００９２】
なお、本発明の監視システムは、上記実施形態の如くパチンコ機を監視するものに限定されず、スロットマシーン、スロットマシーン型パチンコ機等の他の遊技機を監視するものに変更することも可能である。
【図面の簡単な説明】
【００９３】
【図１】本実施の形態の監視システムＳを示す構成図である。
【図２】監視システムＳを導入したパチンコホール場内の外観を示す説明図である。
【図３】パチンコ機１の前面枠１１１及び本体枠１１０を開いた状態をパチンコ機１の前面から見た斜視図である。
【図４】パチンコ機１の背面図である。
【図５】主基板ケース８１の斜視図である。
【図６】遊技島２００の表側に設置された通信ユニット３０の外観図である。
【図７】監視タグ８６の電気的回路構成を示すブロック図である。
【図８】遊技者カード９３の電気的構成を示すブロック図である。
【図９】認証タグ９４の電気的構成を示すブロック図である。
【図１０】パチンコ機１及びパチンコ機１に接続したＲＷ２０の電気的構成を示すブロック図である。
【図１１】ＲＷ２０のＲＡＭ２４の概念図である。
【図１２】島端末１００の電気的構成を示すブロック図である。
【図１３】管理装置３００の電気的構成を示すブロック図である。
【図１４】ＲＷ基板２１のＣＰＵ２２で実施される基本処理のフローチャートである。
【図１５】基本処理の中で行われる認証処理のフローチャートである。
【図１６】基本処理の中で行われる遊技情報処理のフローチャートである。
【図１７】基本処理の中で行われる監視処理のフローチャートである。
【符号の説明】
【００９４】
１      パチンコ機
４      遊技領域
２０      ＲＷ
２２      ＣＰＵ
２１      ＲＷ基板
２４      ＲＡＭ
２５      ＥＥＰＲＯＭ
２６      ＲＦ回路
２８      ＲＦ回路
３０      通信ユニット
３２ｂ      報知ランプ
３２ｃ      報知ランプ
３５      カード挿入用スリット
４１      主基板
５１      ＣＰＵ
６８      監視アンテナ
６８ａ      カシメアンテナ
６８ｂ      機枠アンテナ
６８ｃ      前面枠アンテナ
８１      主基板ケース
８１ａ      上蓋部
８１ｃ      下蓋部
８２      払出制御基板ケース
８６      監視タグ
８６ａ      カシメタグ
８６ｂ      機枠タグ
８６ｃ      前面枠タグ
９１      遊技者アンテナ
９２      認証アンテナ
９３      遊技者カード
９４      認証タグ
１００      島端末
１０７      表示器
１０８      警告ランプ
１１０      本体枠
１１１      前面枠
１１２      機枠
２４１      認証ＩＤ記憶エリア
２４２      監視ＩＤ記憶エリア
２４３      認証情報記憶エリア
２４４      監視情報記憶エリア
２４７      遊技情報記憶エリア
３００      管理装置
３１０      ＣＰＵ
３８０      ハードディスク装置
３８１      監視情報記憶エリア
３８３      プログラム記憶エリア
３８４      情報記憶エリア
８６３      ＥＥＰＲＯＭ
Ｓ      監視システム
【図１】
2006255132.tif 000003
【図２】
2006255132.tif 000004
【図３】
2006255132.tif 000005
【図４】
2006255132.tif 000006
【図５】
2006255132.tif 000007
【図６】
2006255132.tif 000008
【図７】
2006255132.tif 000009
【図８】
2006255132.tif 000010
【図９】
2006255132.tif 000011
【図１０】
2006255132.tif 000012
【図１１】
2006255132.tif 000013
【図１２】
2006255132.tif 000014
【図１３】
2006255132.tif 000015
【図１４】
2006255132.tif 000016
【図１５】
2006255132.tif 000017
【図１６】
2006255132.tif 000018
【図１７】
2006255132.tif 000019